(57)【要約】  式（Ａ）で表されるモノマーＡと、脂環式構造を含み、かつ、ヘテロ環式構造を含まないラジカル重合性モノマーであるモノマーＢと、ヘテロ環式構造を含むラジカル重合性モノマーであるモノマーＣと、を含有し、モノマーＡ、モノマーＢ、及びモノマーＣの総含有量が、組成物の全量に対し、６０質量％以上であるインクジェットインク組成物、並びにその応用。Ｒ１〜Ｒ４は、それぞれ独立に、水素原子又は炭素数１〜１０の有機基を表し、ｎは、１〜３の整数を表す。ｎが２又は３である場合、２つ又は３つのＲ３は、同一であっても異なっていてもよく、２つ又は３つのＲ４は、同一であっても異なっていてもよい。2020179155.tif 000011
2020179155.tif 000002
【特許請求の範囲】
【請求項１】
式（Ａ）で表されるラジカル重合性モノマーであるモノマーＡと、
脂環式構造を含み、かつ、ヘテロ環式構造を含まないラジカル重合性モノマーであるモノマーＢと、
ヘテロ環式構造を含むラジカル重合性モノマーであるモノマーＣと、
を含有し、
前記モノマーＡ、前記モノマーＢ、及び前記モノマーＣの総含有量が、インクジェットインク組成物の全量に対し、６０質量％以上であるインクジェットインク組成物。
【化１】
2020179155.tif 000010
式（Ａ）中、Ｒ１〜Ｒ４は、それぞれ独立に、水素原子又は炭素数１〜１０の有機基を表し、ｎは、１〜３の整数を表す。ｎが２又は３である場合、２つ又は３つのＲ３は、同一であっても異なっていてもよく、２つ又は３つのＲ４は、同一であっても異なっていてもよい。
【請求項２】
前記モノマーＡの含有量が、インクジェットインク組成物の全量に対し、１０質量％〜３０質量％である請求項１に記載のインクジェットインク組成物。
【請求項３】
前記モノマーＢの含有量が、インクジェットインク組成物の全量に対し、２０質量％〜４０質量％である請求項１又は請求項２に記載のインクジェットインク組成物。
【請求項４】
前記モノマーＣの含有量が、インクジェットインク組成物の全量に対し、２０質量％〜４０質量％である請求項１〜請求項３のいずれか１項に記載のインクジェットインク組成物。
【請求項５】
前記モノマーＡ及び前記モノマーＢの総含有量が、インクジェットインク組成物の全量に対し、３５質量％以上である請求項１〜請求項４のいずれか１項に記載のインクジェットインク組成物。
【請求項６】
前記モノマーＡの含有量が、インクジェットインク組成物に含有される全てのラジカル重合性モノマーの総含有量に対し、１５質量％〜４０質量％である請求項１〜請求項５のいずれか１項に記載のインクジェットインク組成物。
【請求項７】
更に、光重合開始剤を含有する請求項１〜請求項６のいずれか１項に記載のインクジェットインク組成物。
【請求項８】
更に、着色剤を含有する請求項１〜請求項７のいずれか１項に記載のインクジェットインク組成物。
【請求項９】
基材上に、請求項１〜請求項８のいずれか１項に記載のインクジェットインク組成物をインクジェット法によって付与する工程と、
前記基材上に付与された前記インクジェットインク組成物に、活性エネルギー線を照射する工程と、
を含む画像記録方法。
【請求項１０】
基材と、
前記基材上に配置された、請求項１〜請求項８のいずれか１項に記載のインクジェットインク組成物の硬化物である画像と、
を備える画像記録物。
【発明の詳細な説明】
【技術分野】
【０００１】
本開示は、インクジェットインク組成物、画像記録方法及び画像記録物に関する。
【背景技術】
【０００２】
従来から、画像の記録に用いられるインクに関し、様々な検討がなされている。
例えば、特許文献１には、放射線硬化における高い反応性および低い粘度を有するインクジェット印刷インキとして、Ｎ−ビニルオキサゾリジノンを含有するインクジェット印刷インキが開示されている。
また、特許文献２には、ポリプロピレン基材又はコロナ処理ポリスチレン基材に対し、インクジェット法によって画像を記録する方法が開示されている。この特許文献２には、この方法に用いるインクジェットインクとして、インク全量に対する含有量が２０質量％以上であるイソボルニルアクリレートと、インク全量に対する総含有量が１５質量％〜３０質量％である、Ｎ−ビニルアミドモノマー、Ｎ−アクリロイルアミンモノマー、及び／又はＮ−ビニルカーバメートと、樹脂と、光重合開始剤と、任意で着色剤と、を含有するインクジェットインクが開示されている。【０００３】
特許文献１：特許第６３１６４２８号公報
特許文献２：国際公開第２０１８／１４６４９５号
【発明の概要】
【発明が解決しようとする課題】
【０００４】
ところで、インクジェットインク組成物に対し、光照射に対する硬化性（以下、単に「硬化性」ともいう）が要求される場合がある。
更に、インクジェットインク組成物を用いて記録された画像に対し、高温環境下（例えば、４０℃の環境下）での表面のべたつきを抑制することが要求される場合がある。
更に、インクジェットインク組成物に対し、上述した要求を満足した上で、更に、インクジェットヘッドからの吐出性（以下、単に「吐出性」ともいう）にも優れることも要求される場合がある。【０００５】
本開示の一態様の課題は、記録された画像の高温環境下（例えば、４０℃の環境下）での表面のべたつきを抑制でき、硬化性及び吐出性に優れるインクジェットインク組成物、上記インクジェットインク組成物を用いた画像記録方法、並びに、上記インクジェットインク組成物の硬化物である画像を備える画像記録物を提供することである。
【課題を解決するための手段】
【０００６】
課題を解決するための具体的手段には、以下の態様が含まれる。
＜１＞  式（Ａ）で表されるラジカル重合性モノマーであるモノマーＡと、
脂環式構造を含み、かつ、ヘテロ環式構造を含まないラジカル重合性モノマーであるモノマーＢと、
ヘテロ環式構造を含むラジカル重合性モノマーであるモノマーＣと、
を含有し、
モノマーＡ、モノマーＢ、及びモノマーＣの総含有量が、インクジェットインク組成物の全量に対し、６０質量％以上であるインクジェットインク組成物。【０００７】
【化１】
2020179155.tif 000003
【０００８】
式（Ａ）中、Ｒ１〜Ｒ４は、それぞれ独立に、水素原子又は炭素数１〜１０の有機基を表し、ｎは、１〜３の整数を表す。ｎが２又は３である場合、２つ又は３つのＲ３は、同一であっても異なっていてもよく、２つ又は３つのＲ４は、同一であっても異なっていてもよい。【０００９】
＜２＞  モノマーＡの含有量が、インクジェットインク組成物の全量に対し、１０質量％〜３０質量％である＜１＞に記載のインクジェットインク組成物。
＜３＞  モノマーＢの含有量が、インクジェットインク組成物の全量に対し、２０質量％〜４０質量％である＜１＞又は＜２＞に記載のインクジェットインク組成物。
＜４＞  モノマーＣの含有量が、インクジェットインク組成物の全量に対し、２０質量％〜４０質量％である＜１＞〜＜３＞のいずれか１つに記載のインクジェットインク組成物。
＜５＞  モノマーＡ及びモノマーＢの総含有量が、インクジェットインク組成物の全量に対し、３５質量％以上である＜１＞〜＜４＞のいずれか１つに記載のインクジェットインク組成物。
＜６＞  モノマーＡの含有量が、インクジェットインク組成物に含有される全てのラジカル重合性モノマーの総含有量に対し、１５質量％〜４０質量％である＜１＞〜＜５＞のいずれか１つに記載のインクジェットインク組成物。
＜７＞  更に、光重合開始剤を含有する＜１＞〜＜６＞のいずれか１つに記載のインクジェットインク組成物。
＜８＞  更に、着色剤を含有する＜１＞〜＜７＞のいずれか１つに記載のインクジェットインク組成物。
＜９＞  基材上に、＜１＞〜＜７＞のいずれか１つに記載のインクジェットインク組成物をインクジェット法によって付与する工程と、
基材上に付与されたインクジェットインク組成物に、活性エネルギー線を照射する工程と、
を含む画像記録方法。
＜１０＞  基材と、
基材上に配置された、＜１＞〜＜７＞のいずれか１つに記載のインクジェットインク組成物の硬化物である画像と、
を備える画像記録物。
【発明の効果】
【００１０】
本開示の一態様によれば、記録された画像の高温環境下（例えば、４０℃の環境下）での表面のべたつきを抑制でき、硬化性及び吐出性に優れるインクジェットインク組成物、上記インクジェットインク組成物を用いた画像記録方法、並びに、上記インクジェットインク組成物の硬化物である画像を備える画像記録物が提供される。
【発明を実施するための形態】
【００１１】
本開示において、「〜」を用いて表される数値範囲は、「〜」の前後に記載される数値を下限値および上限値として含む範囲を意味する。
本開示において、組成物中の各成分の量は、組成物中に各成分に該当する物質が複数存在する場合、特に断らない限り、組成物中に存在する上記複数の物質の合計量を意味する。
本開示中に段階的に記載されている数値範囲において、ある数値範囲で記載された上限値又は下限値は、他の段階的な記載の数値範囲の上限値又は下限値に置き換えてもよく、また、実施例に示されている値に置き換えてもよい。
本開示において、「工程」との語は、独立した工程だけでなく、他の工程と明確に区別できない場合であっても工程の所期の目的が達成されれば、本用語に含まれる。
本開示において、好ましい態様の組み合わせは、より好ましい態様である。
本開示において、「光」は、γ線、β線、電子線、紫外線、可視光線といった活性エネルギー線を包含する概念である。
本開示においては、紫外線を、「ＵＶ（Ｕｌｔｒａ  Ｖｉｏｌｅｔ）光」ということがある。
本開示において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリルアミド」は、アクリルアミド及びメタクリルアミドの両方を包含する概念であり、「（メタ）アクリロイル基」はアクリロイル基及びメタクリロイル基の両方を包含する概念である。
【００１２】
本開示において、「画像」とは、インクジェットインク組成物を用いて形成される膜全般を意味し、「画像の記録」及び「画像記録」とは、それぞれ、膜の形成及び膜形成を意味する。従って、本開示における「画像」は、色彩を有する膜には限定されず、例えば、透明の膜であってもよい。ここで、膜について、透明とは、波長４００ｎｍ〜７００ｎｍの可視光の透過率が、８０％以上（好ましくは９０％以上）であることを意味する。
また、本開示における「画像」の概念には、ベタ画像（ｓｏｌｉｄ  ｉｍａｇｅ）も包含される。
【００１３】
〔インクジェットインク組成物〕
本開示のインクジェットインク組成物（以下、単に「インク」ともいう）は、式（Ａ）で表されるラジカル重合性モノマーであるモノマーＡと、脂環式構造を含み、かつ、ヘテロ環式構造を含まないラジカル重合性モノマーであるモノマーＢと、ヘテロ環式構造を含むラジカル重合性モノマーであるモノマーＣと、を含有し、モノマーＡ、モノマーＢ、及びモノマーＣの総含有量が、インクの全量に対し、６０質量％以上であるインクである。
【００１４】
【化２】
2020179155.tif 000004
【００１５】
式（Ａ）中、Ｒ１〜Ｒ４は、それぞれ独立に、水素原子又は炭素数１〜１０の有機基を表し、ｎは、１〜３の整数を表す。ｎが２又は３である場合、２つ又は３つのＲ３は、同一であっても異なっていてもよく、２つ又は３つのＲ４は、同一であっても異なっていてもよい。
【００１６】
本開示のインクによれば、記録された画像の高温環境下（例えば、４０℃の環境下。以下同じ。）での表面のべたつきを抑制でき、硬化性（即ち、光照射に対する硬化性）及び吐出性（即ち、インクジェットヘッドからの吐出性）に優れる。
ここで、「記録された画像の高温環境下での表面のべたつきを抑制でき、」とは、高温環境下での表面のべたつきが抑制される画像を記録できることを意味する。
【００１７】
本開示では、記録された画像の高温環境下での表面のべたつきを、単に「表面べたつき」と称することがあり、記録された画像の高温環境下での表面のべたつきを抑制できるインクの性能を、「表面べたつき抑制性」と称することがある。
【００１８】
本開示において、表面のべたつきは、インクが硬化されることにより記録された画像（即ち、硬化後のインク）を高温環境下に置いた場合における、上記画像の表面のべたつきを意味する。
一方、本開示において、硬化性は、インクを硬化させることにより画像を記録する段階での、インクの硬化性（即ち、インクの硬化速度）を意味する。
従って、表面べたつき抑制性及び硬化性は、互いに関連する性能ではあるものの、完全に一致する性能ではない。
【００１９】
本開示のインクによって上述した効果が奏される理由は明らかではないが、おおむね、以下のように推測される。
本開示のインクにおいて、モノマーＡは、主として硬化性に寄与すると考えられる。
本開示のインクにおいて、モノマーＢは、主として表面べたつき抑制性（即ち、記録された画像の表面べたつきを抑制できる性能）及び硬化性に寄与し得るが、特に、表面べたつき抑制性への寄与が大きいと考えられる。
本開示のインクにおいて、モノマーＣは、主として吐出性及び硬化性に寄与し得るが、特に、吐出性への寄与が大きいと考えられる。
本開示のインクにおいて、モノマーＡ、モノマーＢ、及びモノマーＣの総含有量がインクの全量に対して６０質量％以上であることは、硬化性、表面べたつき抑制性及び吐出性のいずれの効果にも寄与し得るが、特に、硬化性及び吐出性への寄与が大きいと考えられる。
本開示のインクでは、これらの特徴が組み合わされることにより、上述した効果が発現されると推測される。
【００２０】
以下、本開示のインクに含有され得る各成分について説明する。
【００２１】
＜モノマーＡ＞
本開示のインクは、下記式（Ａ）で表されるラジカル重合性モノマーであるモノマーＡを少なくとも１種含有する。
【００２２】
【化３】
2020179155.tif 000005
【００２３】
式（Ａ）中、Ｒ１〜Ｒ４は、それぞれ独立に、水素原子又は炭素数１〜１０の有機基を表し、ｎは、１〜３の整数を表す。ｎが２又は３である場合、２つ又は３つのＲ３は、同一であっても異なっていてもよく、２つ又は３つのＲ４は、同一であっても異なっていてもよい。
【００２４】
式（Ａ）中、Ｒ１〜Ｒ４は、それぞれ独立に、水素原子又は炭素数１〜１０の有機基を表す。
Ｒ１〜Ｒ４で表される有機基の炭素数としては、１〜６が好ましく、１又は２がより好ましく、１が更に好ましい。
Ｒ１〜Ｒ４で表される有機基としては、アルキル基、アルケニル基、アリール基、アラルキル基が好ましく、アルキル基又はアリール基がより好ましく、アルキル基が更に好ましい。
【００２５】
式（Ａ）として、
好ましくは、Ｒ１及びＲ３が、それぞれ独立に、水素原子又は炭素数１〜１０の有機基であり、Ｒ２及びＲ４が、いずれも水素原子である態様であり、
更に好ましくは、Ｒ１が、水素原子又は炭素数１〜１０の有機基であり、Ｒ２〜Ｒ４が、いずれも水素原子である態様である。
これらの態様においても、炭素数１〜１０の有機基の好ましい範囲は、前述したとおりである。
【００２６】
式（Ａ）中、ｎは、１〜３の整数を表す。ｎが２又は３である場合、２つ又は３つのＲ３は、同一であっても異なっていてもよく、２つ又は３つのＲ４は、同一であっても異なっていてもよい。
式（Ａ）中、ｎとしては、１又は２が好ましく、１が更に好ましい。
【００２７】
以下、式（Ａ）で表されるラジカル重合性モノマーの具体例を示すが、式（Ａ）で表されるラジカル重合性モノマーは、以下の具体例に限定されることはない。
【００２８】
【化４】
2020179155.tif 000006
【００２９】
上記具体例中、
化合物（ａ−１）は、Ｎ−ビニルオキサゾリジノン（略称ＮＶＯ）であり、
化合物（ａ−２）は、Ｎ−ビニル−５−メチルオキサゾリジノン（略称ＮＶＭＯ）である。
【００３０】
モノマーＡの含有量には特に制限はない。
硬化性をより向上させる観点から、インクの全量に対するモノマーＡの含有量は、好ましくは５質量％〜４０質量％であり、より好ましくは１０質量％〜３０質量％であり、更に好ましくは１５質量％〜２５質量％である。
【００３１】
また、硬化性をより向上させる観点から、インクに含有される全てのラジカル重合性モノマーの総含有量に対するモノマーＡの含有量は、好ましくは１０質量％〜５０質量％であり、より好ましくは１５質量％〜４０質量％であり、更に好ましくは１５質量％〜３５質量％である。
【００３２】
また、硬化性をより向上させる観点から、モノマーＡ、モノマーＢ、及びモノマーＣの総含有量に対するモノマーＡの含有量は、好ましくは１０質量％〜５０質量％であり、より好ましくは１５質量％〜４０質量％であり、更に好ましくは１５質量％〜３５質量％である。
【００３３】
＜モノマーＢ＞
本開示のインクは、脂環式構造を含み、かつ、ヘテロ環式構造を含まないラジカル重合性モノマーであるモノマーＢを、少なくとも１種含有する。
【００３４】
モノマーＢは、脂環式構造を少なくとも１つ含む。
脂環式構造としては、単環構造、縮合環構造、橋かけ環構造、スピロ環構造等が挙げられる。
脂環式構造の炭素数として、好ましくは３〜２０であり、好ましくは６〜２０であり、更に好ましくは６〜１２である。
【００３５】
モノマーＢは、ラジカル重合性基として、ビニル基、アリル基、又は（メタ）アクリロイル基を含むことが好ましく、（メタ）アクリロイル基を含むことがより好ましい。
【００３６】
モノマーＢは、単官能又は２官能のラジカル重合性モノマーであることが好ましく、単官能のラジカル重合性モノマーであることがより好ましい。
ここで、単官能のラジカル重合性モノマーとは、ラジカル重合性基を１つ含むラジカル重合性モノマーを意味し、２官能のラジカル重合性モノマーとは、ラジカル重合性基を２つ含むラジカル重合性モノマーを意味する。
【００３７】
モノマーＢの分子量としては、１０００以下が好ましく、５００以下がより好ましく、３００以下がさらに好ましい。
【００３８】
モノマーＢとしては、
シクロヘキシル（メタ）アクリレート、
イソボルニル（メタ）アクリレート、
（メタ）アクリル酸２−メチルアダマンタン−２−イル、
（メタ）アクリル酸２−エチルアダマンタン−２−イル、
３−ヒドロキシ−１−（メタ）アクリロイルオキシアダマンタン、
ジシクロペンタニル（メタ）アクリレート、
ジシクロペンタニルオキシエチル（メタ）アクリレート、
ジシクロペンテニル（メタ）アクリレート、
ジシクロペンテニルオキシエチル（メタ）アクリレート、
等が挙げられる。
【００３９】
モノマーＢの含有量には特に制限はない。
インクの全量に対するモノマーＢの含有量は、好ましくは１０質量％〜５０質量％であり、より好ましくは２０質量％〜４０質量％である。
インクの全量に対するモノマーＢの含有量が１０質量％以上である場合には、表面べたつき抑制性（即ち、記録された画像の表面べたつきを抑制できる性能）及び硬化性がより向上する。
インクの全量に対するモノマーＢの含有量が５０質量％以下である場合には、吐出性がより向上する。
【００４０】
また、インクに含有される全てのラジカル重合性モノマーの総含有量に対するモノマーＢの含有量は、好ましくは１０質量％〜６０質量％であり、より好ましくは２０質量％〜５０質量％である。
インクに含有される全てのラジカル重合性モノマーの総含有量に対するモノマーＢの含有量が１０質量％以上である場合には、表面べたつき抑制性及び硬化性がより向上する。
インクに含有される全てのラジカル重合性モノマーの総含有量に対するモノマーＢの含有量が６０質量％以下である場合には、吐出性がより向上する。
【００４１】
また、モノマーＡ、モノマーＢ、及びモノマーＣの総含有量に対するモノマーＢの含有量は、好ましくは１０質量％〜６０質量％であり、より好ましくは２０質量％〜５０質量％である。
モノマーＡ、モノマーＢ、及びモノマーＣの総含有量に対するモノマーＢの含有量が１０質量％以上である場合には、表面べたつき抑制性及び硬化性がより向上する。
モノマーＡ、モノマーＢ、及びモノマーＣの総含有量に対するモノマーＢの含有量が６０質量％以下である場合には、吐出性がより向上する。
【００４２】
また、モノマーＡ及びモノマーＢの総含有量は、インクの全量に対し、好ましくは３５質量％以上であり、より好ましくは４０質量％以上であり、更に好ましくは５０質量％以上である。
インクの全量に対するモノマーＡ及びモノマーＢの総含有量が３５質量％以上である場合には、表面べたつき抑制性及び硬化性がより向上する。
インクの全量に対するモノマーＡ及びモノマーＢの総含有量の上限には特に制限はない。上限としては、吐出性の観点から、好ましくは８０質量％であり、より好ましくは７０質量％である。
【００４３】
また、モノマーＡ及びモノマーＢの総含有量は、インクに含有される全てのラジカル重合性モノマーの総含有量に対し、好ましくは４５質量％以上であり、より好ましくは５０質量％以上であり、更に好ましくは５５質量％以上である。
インクに含有される全てのラジカル重合性モノマーの総含有量に対するモノマーＡ及びモノマーＢの総含有量が４５質量％以上である場合には、表面べたつき抑制性及び硬化性がより向上する。
インクに含有される全てのラジカル重合性モノマーの総含有量に対するモノマーＡ及びモノマーＢの総含有量の上限には特に制限はない。上限としては、吐出性の観点から、好ましくは８０質量％であり、より好ましくは７０質量％である。
【００４４】
また、モノマーＡ及びモノマーＢの総含有量は、モノマーＡ、モノマーＢ、及びモノマーＣの総含有量に対し、好ましくは４５質量％以上であり、より好ましくは５０質量％以上であり、更に好ましくは５５質量％以上である。
モノマーＡ、モノマーＢ、及びモノマーＣの総含有量に対するモノマーＡ及びモノマーＢの総含有量が４５質量％以上である場合には、表面べたつき抑制性及び硬化性がより向上する。
モノマーＡ、モノマーＢ、及びモノマーＣの総含有量に対するモノマーＡ及びモノマーＢの総含有量の上限には特に制限はない。上限としては、吐出性の観点から、好ましくは８０質量％であり、より好ましくは７０質量％である。
【００４５】
＜モノマーＣ＞
本開示のインクは、ヘテロ環式構造を含むラジカル重合性モノマーであるモノマーＣを、少なくとも１種含有する。
【００４６】
モノマーＣは、ヘテロ環式構造を少なくとも１つ含む。
ヘテロ環式構造に含まれるヘテロ原子として、好ましくは、酸素原子、硫黄原子、又は窒素原子であり、より好ましくは酸素原子又は窒素原子であり、更に好ましくは酸素原子である。
ヘテロ環式構造１つに含まれるヘテロ原子の数は、１〜３が好ましく、１又は２がより好ましい。
ヘテロ環式構造１つに含まれる炭素原子の数は、３〜２０が好ましく、３〜１２がより好ましく、３〜５が更に好ましい。
【００４７】
ヘテロ環式構造としては、単環構造、縮合環構造、橋かけ環構造、スピロ環構造等が挙げられる。
これら縮合環構造、橋かけ環構造、及びスピロ環構造は、それぞれ、ヘテロ環と、脂肪族環及び／又は芳香族環と、を含んでいてもよい。
【００４８】
ヘテロ環式構造として、好ましくは、５員環又は６員環の単環のヘテロ環式構造である。
【００４９】
また、モノマーＣは、ヘテロ環式構造を少なくとも１つ含むが、更に、脂環式構造を少なくとも１つ含んでいてもよい。
モノマーＣに含まれ得る脂環式構造の例及び好ましい態様は、それぞれ、前述した、モノマーＢに含まれる脂環式構造の例及び好ましい態様と同様である。
【００５０】
モノマーＣは、ラジカル重合性基として、ビニル基、アリル基、又は（メタ）アクリロイル基を含むことが好ましく、（メタ）アクリロイル基を含むことがより好ましい。
【００５１】
モノマーＣは、単官能又は２官能のラジカル重合性モノマーであることが好ましく、単官能のラジカル重合性モノマーであることがより好ましい。
ここで、単官能のラジカル重合性モノマーとは、ラジカル重合性基を１つ含むラジカル重合性モノマーを意味し、２官能のラジカル重合性モノマーとは、ラジカル重合性基を２つ含むラジカル重合性モノマーを意味する。
【００５２】
モノマーＣの分子量としては、１０００以下が好ましく、５００以下がより好ましく、３００以下がさらに好ましい。
【００５３】
モノマーＣとしては、
環状トリメチロールプロパンホルマール（メタ）アクリレート、
（メタ）アクリロイルモルホリン、
（２ーメチル−２−エチル−１，３−ジオキソラン−４−イル）メチル（メタ）アクリレート、
テトラヒドロフルフリル（メタ）アクリレート、
アルコキシ化テトラヒドロフルフリル（メタ）アクリレート、
テトラメチルピペリジル（メタ）アクリレート、
ペンタメチルピペリジル（メタ）アクリレート、
等が挙げられる。
【００５４】
モノマーＣの含有量には特に制限はない。
インクの全量に対するモノマーＣの含有量は、好ましくは１０質量％〜５０質量％であり、より好ましくは２０質量％〜４０質量％である。
インクの全量に対するモノマーＣの含有量が１０質量％以上である場合には、吐出性がより向上する。
インクの全量に対するモノマーＣの含有量が５０質量％以下である場合には、表面べたつき抑制性がより向上する。
【００５５】
また、インクに含有される全てのラジカル重合性モノマーの総含有量に対するモノマーＣの含有量は、好ましくは１０質量％〜６０質量％であり、より好ましくは２０質量％〜５０質量％である。
インクに含有される全てのラジカル重合性モノマーの総含有量に対するモノマーＣの含有量が１０質量％以上である場合には、吐出性がより向上する。
インクに含有される全てのラジカル重合性モノマーの総含有量に対するモノマーＣの含有量が６０質量％以下である場合には、表面べたつき抑制性がより向上する。
【００５６】
また、モノマーＡ、モノマーＢ、及びモノマーＣの総含有量に対するモノマーＣの含有量は、好ましくは１０質量％〜６０質量％であり、より好ましくは２０質量％〜５０質量％である。
モノマーＡ、モノマーＢ、及びモノマーＣの総含有量に対するモノマーＣの含有量が１０質量％以上である場合には、吐出性がより向上する。
モノマーＡ、モノマーＢ、及びモノマーＣの総含有量に対するモノマーＣの含有量が６０質量％以下である場合には、表面べたつき抑制性がより向上する。
【００５７】
本開示のインクにおいて、モノマーＡ、モノマーＢ、及びモノマーＣの総含有量は、インクの全量に対し、６０質量％以上である。
これにより、硬化性及び吐出性が向上し得る。
インクの全量に対する、モノマーＡ、モノマーＢ、及びモノマーＣの総含有量は、好ましくは６５質量％以上である。
インクの全量に対する、モノマーＡ、モノマーＢ、及びモノマーＣの総含有量の上限は、特に制限はない。
インクの全量に対する、モノマーＡ、モノマーＢ、及びモノマーＣの総含有量の上限としては、例えば、９５質量％、９０質量％等が挙げられる。
【００５８】
また、本開示のインクによる効果がより効果的に奏される点から、モノマーＡ、モノマーＢ、及びモノマーＣの総含有量は、インクに含有される全てのラジカル重合性モノマーの総含有量に対し、好ましくは７０質量％以上であり、より好ましくは８０質量％以上である。
インクに含有される全てのラジカル重合性モノマーの総含有量に対する、モノマーＡ、モノマーＢ、及びモノマーＣの総含有量は、１００質量％であってもよい。
【００５９】
＜その他のラジカル重合性モノマー＞
本開示のインクは、上述したモノマー以外のその他のラジカル重合性モノマーを含有してもよい。
その他のラジカル重合性モノマーとしては、公知のラジカル重合性モノマーを用いることができ、（メタ）アクリレート化合物、（メタ）アクリルアミド化合物、ビニルエーテル化合物、アリル化合物、Ｎ−ビニル化合物、不飽和カルボン酸類等が挙げられる。
その他のラジカル重合性モノマーとしては、特開２００９−２２１４１４号公報に記載のラジカル重合性モノマー、特開２００９−２０９２８９号公報に記載のラジカル重合性化合物、特開２００９−１９１１８３号公報に記載のエチレン性不飽和化合物等を用いてもよい。
その他のラジカル重合性モノマーとしては、（メタ）アクリレート化合物であることが好ましい。
【００６０】
その他のラジカル重合性モノマーの分子量は、８０〜１，０００であることが好ましく、８０〜８００であることがより好ましく、８０〜５００であることが更に好ましい。
【００６１】
その他のラジカル重合性モノマーは、単官能のラジカル重合性モノマーであってもよいし、２官能以上のラジカル重合性モノマーであってもよい。
【００６２】
その他のラジカル重合性モノマーの具体例としては；
炭素数１〜２０のアルキル基を有するアルキル（メタ）アクリレート化合物等の単官能の（メタ）アクリレート化合物；
１，６−ヘキサンジオールジ（メタ）アクリレート、ジプロピレングリコールジ（メタ）アクリレート、プロポキシ化（２）ネオペンチルグリコールジアクリレート、等の２官能の（メタ）アクリレート化合物；
トリメチロールプロパントリ（メタ）アクリレート、トリス（２−ヒドロキシエチル）イソシアヌレートトリ（メタ）アクリレート、エチレンオキサイド（ＥＯ）変性トリメチロールプロパントリ（メタ）アクリレート等の３官能の（メタ）アクリレート化合物；
等が挙げられる。
【００６３】
また、その他のラジカル重合性モノマーの例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等も挙げられる。
【００６４】
更に具体的には、山下晋三編「架橋剤ハンドブック」（１９８１年、大成社）；加藤清視編「ＵＶ・ＥＢ硬化ハンドブック（原料編）」（１９８５年、高分子刊行会）；ラドテック研究会編「ＵＶ・ＥＢ硬化技術の応用と市場」７９頁（１９８９年、（株）シーエムシー出版）；滝山栄一郎著「ポリエステル樹脂ハンドブック」（１９８８年、日刊工業新聞社）等に記載の市販品又は業界で公知のラジカル重合性のモノマー、オリゴマー及びポリマーを用いることができる。
【００６５】
また、本開示のインクは、その他のラジカル重合性モノマーとして、光硬化性インクの分野で広く用いられている、Ｎ−ビニルカプロラクタムを含有してもよい。
但し、本開示のインクにおけるモノマーＡは、Ｎ−ビニルカプロラクタムの代替物として機能し得る。
従って、本開示のインクは、Ｎ−ビニルカプロラクタムを含有しなくてもよい。また、本開示のインクがＮ−ビニルカプロラクタムを含有する場合であっても、Ｎ−ビニルカプロラクタムの含有量を低減させることができる。
本開示のインクにおけるＮ−ビニルカプロラクタムの含有量は、インクの全量に対し、１０質量％以下であってもよいし、５質量％以下であってもよいし、１質量％以下であってもよい。
【００６６】
また、本開示のインクは、その他のラジカル重合性モノマーとして、３官能以上のラジカル重合性モノマーを含有してもよい。
但し、インクの吐出性、画像の柔軟性、画像の光沢性の観点等から、本開示のインクにおける３官能以上のラジカル重合性モノマーの含有量は、インクの全量に対し、好ましくは１５質量％以下であり、より好ましくは１０質量％以下であり、更に好ましくは５質量％以下であり、更に好ましくは１質量％以下であり、更に好ましくは０質量％（即ち、本開示のインクが３官能以上のラジカル重合性モノマーを含有しないこと）である。
【００６７】
また、インクの吐出性の観点から、本開示のインクにおいて、単官能のラジカル重合性モノマー及び２官能のラジカル重合性モノマーの総含有量は、インクの全量に対し、６０質量％以上が好ましく、６５質量％以上がより好ましい。
単官能のラジカル重合性モノマー及び２官能のラジカル重合性モノマーの総含有量の上限は、特に限定はないが、上限として、例えば、１００質量％、９５質量％、９０質量％などが挙げられる。
【００６８】
また、本開示のインクにおいて、インクに含有される全てのラジカル重合性モノマー中に占める単官能のラジカル重合性モノマーの比率は、６０質量％以上が好ましく、６５質量％以上がより好ましい。
インクに含有される全てのラジカル重合性モノマー中に占める単官能のラジカル重合性モノマーの比率の上限には特に限定はないが、上限として、例えば、１００質量％、９５質量％、９０質量％等が挙げられる。
【００６９】
＜光重合開始剤＞
本開示のインクは、光重合開始剤を少なくとも１種含有することが好ましい。
光重合開始剤としては、光（即ち、活性エネルギー線）を吸収して重合開始種であるラジカルを生成する、公知の光重合開始剤を用いることができる。
【００７０】
好ましい光重合開始剤として、（ａ）芳香族ケトン類等のカルボニル化合物、（ｂ）アシルホスフィンオキシド化合物、（ｃ）芳香族オニウム塩化合物、（ｄ）有機過酸物、（ｅ）チオ化合物、（ｆ）ヘキサアリールビイミダゾール化合物、（ｇ）ケトオキシムエステル化合物、（ｈ）ボレート化合物、（ｉ）アジニウム化合物、（ｊ）メタロセン化合物、（ｋ）活性エステル化合物、（ｌ）炭素ハロゲン結合を有する化合物、（ｍ）アルキルアミン化合物等が挙げられる。
【００７１】
これらの光重合開始剤は、上記（ａ）〜（ｍ）の化合物を１種単独もしくは２種以上を組み合わせて使用してもよい。
【００７２】
光重合開始剤としては、上記（ａ）、（ｂ）及び（ｅ）がより好ましい。
【００７３】
（ａ）カルボニル化合物、（ｂ）アシルホスフィンオキシド化合物、及び、（ｅ）チオ化合物の好ましい例としては、”ＲＡＤＩＡＴＩＯＮ  ＣＵＲＩＮＧ  ＩＮ  ＰＯＬＹＭＥＲ  ＳＣＩＥＮＣＥ  ＡＮＤ  ＴＥＣＨＮＯＬＯＧＹ”，Ｊ．Ｐ．ＦＯＵＡＳＳＩＥＲ，Ｊ．Ｆ．ＲＡＢＥＫ（１９９３）、ｐｐ．７７〜１１７に記載のベンゾフェノン骨格又はチオキサントン骨格を有する化合物等が挙げられる。
より好ましい例としては、特公昭４７−６４１６号公報記載のα−チオベンゾフェノン化合物、特公昭４７−３９８１号公報記載のベンゾインエーテル化合物、特公昭４７−２２３２６号公報記載のα−置換ベンゾイン化合物、特公昭４７−２３６６４号公報記載のベンゾイン誘導体、特開昭５７−３０７０４号公報記載のアロイルホスホン酸エステル、特公昭６０−２６４８３号公報記載のジアルコキシベンゾフェノン、特公昭６０−２６４０３号公報、特開昭６２−８１３４５号公報記載のベンゾインエーテル類、特公平１−３４２４２号公報、米国特許第４，３１８，７９１号パンフレット、ヨーロッパ特許０２８４５６１Ａ１号公報に記載のα−アミノベンゾフェノン類、特開平２−２１１４５２号公報記載のｐ−ジ（ジメチルアミノベンゾイル）ベンゼン、特開昭６１−１９４０６２号公報記載のチオ置換芳香族ケトン、特公平２−９５９７号公報記載のアシルホスフィンスルフィド、特公平２−９５９６号公報記載のアシルホスフィン、特公昭６３−６１９５０号公報記載のチオキサントン類、特公昭５９−４２８６４号公報記載のクマリン類等を挙げることができる。
また、特開２００８−１０５３７９号公報、特開２００９−１１４２９０号公報に記載の重合開始剤も好ましい。
【００７４】
これらの光重合開始剤の中でも、（ａ）カルボニル化合物又は（ｂ）アシルホスフィンオキシド化合物がより好ましく、具体的には、ビス（２，４，６−トリメチルベンゾイル）−フェニルホスフィンオキシド（例えば、ＢＡＳＦ社製のＩＲＧＡＣＵＲＥ（登録商標）８１９）、２−（ジメチルアミン）−１−（４−モルホリノフェニル）−２−ベンジル−１−ブタノン（例えば、ＢＡＳＦ社製のＩＲＧＡＣＵＲＥ（登録商標）３６９）、２−メチル−１−（４−メチルチオフェニル）−２−モルフォリノプロパン−１−オン（例えば、ＢＡＳＦ社製のＩＲＧＡＣＵＲＥ（登録商標）９０７）、１−ヒドロキシ−シクロヘキシル−フェニル−ケトン（例えば、ＢＡＳＦ社製のＩＲＧＡＣＵＲＥ（登録商標）１８４）、２，４，６−トリメチルベンゾイル−ジフェニル−フォスフィンオキシド（例えば、ＤＡＲＯＣＵＲ（登録商標）ＴＰＯ、ＬＵＣＩＲＩＮ（登録商標）ＴＰＯ（いずれもＢＡＳＦ社製））などが挙げられる。
これらの中でも、感度向上の観点及びＬＥＤ光への適合性の観点等から、光重合開始剤としては、（ｂ）アシルホスフィンオキシド化合物が好ましく、モノアシルホスフィンオキシド化合物（特に好ましくは、２，４，６−トリメチルベンゾイル−ジフェニル−フォスフィンオキシド）、又は、ビスアシルホスフィンオキシド化合物（特に好ましくは、ビス（２，４，６−トリメチルベンゾイル）−フェニルホスフィンオキシド）がより好ましい。
【００７５】
本開示のインクが光重合開始剤を含有する場合、光重合開始剤の含有量としては、インクの全量に対し、１．０質量％〜２５．０質量％が好ましく、２．０質量％〜２０．０質量％がより好ましく、３．０質量％〜１５．０質量％が更に好ましい。
【００７６】
＜増感剤＞
本開示のインクは、増感剤を少なくとも１種含有してもよい。
ここで、増感剤は、特定の活性エネルギー線を吸収して電子励起状態となる物質である。電子励起状態となった増感剤は、光重合開始剤と接触して、電子移動、エネルギー移動、発熱等の作用を生じる。これにより、光重合開始剤の化学変化、即ち、分解、ラジカル、酸又は塩基の生成等が促進される。
【００７７】
増感剤としては、例えば、４−（ジメチルアミノ）安息香酸エチル（ＥＤＢ）、アントラキノン、３−アシルクマリン誘導体、ターフェニル、スチリルケトン、３−（アロイルメチレン）チアゾリン、ショウノウキノン、エオシン、ローダミン、エリスロシン等が挙げられる。
また、増感剤としては、特開２０１０−２４２７６号公報に記載の一般式（ｉ）で表される化合物や、特開平６−１０７７１８号公報に記載の一般式（Ｉ）で表される化合物も、好適に使用できる。
上記の中でも、増感剤としては、ＬＥＤ光への適合性及び光重合開始剤との反応性の観点から、チオキサントン、イソプロピルチオキサントン、４−（ジメチルアミノ）安息香酸エチル、及びベンゾフェノンから選ばれる少なくとも１種が好ましい。
【００７８】
本開示のインクが増感剤を含有する場合、増感剤の含有量は、０．５質量％〜１０質量％が好ましく、１．０質量％〜７．０質量％がより好ましく、２．０質量％〜６．０質量％が特に好ましい。
【００７９】
＜界面活性剤＞
本開示のインクは、界面活性剤を少なくとも１種含有していてもよい。
界面活性剤としては、特開昭６２−１７３４６３号、同６２−１８３４５７号の各公報に記載された界面活性剤が挙げられる。例えば、ジアルキルスルホコハク酸塩、アルキルナフタレンスルホン酸塩、脂肪酸塩等のアニオン性界面活性剤、ポリオキシエチレンアルキルエーテル、ポリオキシエチレンアルキルアリルエーテル、アセチレングリコール、ポリオキシエチレン・ポリオキシプロピレンブロックコポリマー、変性ポリジメチルシロキサン等のシリコーン類、等のノニオン性界面活性剤、アルキルアミン塩、第４級アンモニウム塩等のカチオン性界面活性剤、カルボベタイン、スルホベタイン等のベタイン系界面活性剤が挙げられる。
なお、界面活性剤に代えて重合性基を含まない有機フルオロ化合物を用いてもよい。有機フルオロ化合物は、疎水性であることが好ましい。有機フルオロ化合物としては、例えば、フッ素含有界面活性剤、オイル状フッ素含有化合物（例、フッ素油）及び固体状フッ素化合物樹脂（例、四フッ化エチレン樹脂）が含まれ、特公昭５７−９０５３号（第８〜１７欄）、特開昭６２−１３５８２６号の各公報に記載された化合物が挙げられる。
【００８０】
本開示のインクが界面活性剤を含有する場合、界面活性剤の含有量は、インクの全量に対し、０．００１質量％〜５．０質量％が好ましく、０．０５質量％〜３．０質量％がより好ましく、０．０５質量％〜２．０質量％が特に好ましい。
【００８１】
＜重合禁止剤＞
本開示のインクは、重合禁止剤を少なくとも１種含有していてもよい。
重合禁止剤としては、ｐ−メトキシフェノール、キノン類（例えば、ハイドロキノン、ベンゾキノン、メトキシベンゾキノン等）、フェノチアジン、カテコール類、アルキルフェノール類（例えば、ジブチルヒドロキシトルエン（ＢＨＴ）等）、アルキルビスフェノール類、ジメチルジチオカルバミン酸亜鉛、ジメチルジチオカルバミン酸銅、ジブチルジチオカルバミン酸銅、サリチル酸銅、チオジプロピオン酸エステル類、メルカプトベンズイミダゾール、ホスファイト類、２，２，６，６−テトラメチルピペリジン−１−オキシル（ＴＥＭＰＯ）、２，２，６，６−テトラメチル−４−ヒドロキシピペリジン−１−オキシル（ＴＥＭＰＯＬ）、トリス（Ｎ−ニトロソ−Ｎ−フェニルヒドロキシルアミン）アルミニウム塩（別名：クペロンＡｌ）などが挙げられる。
これらの中でも、ｐ−メトキシフェノール、カテコール類、キノン類、アルキルフェノール類、ＴＥＭＰＯ、ＴＥＭＰＯＬ、及びトリス（Ｎ−ニトロソ−Ｎ−フェニルヒドロキシルアミン）アルミニウム塩から選ばれる少なくとも１種が好ましく、ｐ−メトキシフェノール、ハイドロキノン、ベンゾキノン、ＢＨＴ、ＴＥＭＰＯ、ＴＥＭＰＯＬ、及びトリス（Ｎ−ニトロソ−Ｎ−フェニルヒドロキシルアミン）アルミニウム塩から選ばれる少なくとも１種がより好ましい。
【００８２】
本開示のインクが重合禁止剤を含有する場合、重合禁止剤の含有量は、インクの全量に対し、０．０１質量％〜２．０質量％が好ましく、０．０２質量％〜１．０質量％がより好ましく、０．０３質量％〜０．５質量％が特に好ましい。
【００８３】
＜樹脂＞
本開示のインクは、樹脂を少なくとも１種含有していてもよい。
樹脂としては、重合性基を含まない樹脂が好ましい。
【００８４】
また、樹脂としては、例えば、エポキシ樹脂、塩化ビニル系樹脂、酢酸ビニル系樹脂、ポリエステル、（メタ）アクリル樹脂、塩素化ポリオレフィン、ポリケトン等が挙げられる。
【００８５】
塩化ビニル系樹脂の市販品としては、ダウケミカルズ社製のユーカーソリューションビニル樹脂ＶＹＨＤ、ＶＹＨＨ、ＶＭＣＡ、ＶＲＯＨ、ＶＹＬＦ−Ｘ；日信科学工業製のソルバイン樹脂ＣＬ、ＣＮＬ、Ｃ５Ｒ、ＴＡ５Ｒ；ワッカー社製のＶＩＮＮＯＬ（登録商標）Ｅ１５／４０、Ｅ１５／４５、Ｈ１４／３６、Ｈ１５／４２、Ｈ１５／５０、Ｈ１１／５９、Ｈ４０／４３、Ｈ４０／５０、Ｈ４０／５５、Ｈ４０／６０、Ｈ１５／４５Ｍ、Ｅ１５／４５Ｍ、Ｅ１５／４０Ａ；等が挙げられる。
【００８６】
また、（メタ）アクリル樹脂としては、例えば、メタクリル酸メチルとメタクリル酸ｎ−ブチルとの共重合体が挙げられる。
（メタ）アクリル樹脂の市販品としては、Ｌｕｃｉｔｅ  Ｉｎｔｅｒｎａｔｉｏｎａｌ社のＥｌｖａｃｉｔｅ  ２０１３（メタクリル酸メチルとメタクリル酸ｎ−ブチルとの共重合体、Ｍｗ＝３４０００）、Ｅｌｖａｃｉｔｅ  ２０１４（メタクリル酸メチルとメタクリル酸ｎ−ブチルとの共重合体、Ｍｗ＝１１９０００）、Ｅｌｖａｃｉｔｅ  ４０９９（メタクリル酸メチルとメタクリル酸ｎ−ブチルとの共重合体、Ｍｗ＝１５０００）；三菱ケミカル（株）のダイヤナール（登録商標）ＢＲ−１１３（メタクリル酸ブチル樹脂、Ｍｗ＝３００００）、等が挙げられる。
また、（メタ）アクリル樹脂としては、国際公開第２０１７／０３３９８４号に「特定樹脂」として記載されている樹脂を用いてもよい。
【００８７】
また、ポリエステルの市販品としては、エボニックジャパン（株）のポリエステル樹脂（「ＴＥＧＯ（登録商標）  ａｄｄｂｏｎｄ  ＬＴＨ」；Ｍｗ＝３０００）等が挙げられる。
塩素化ポリオレフィンの市販品としては、日本製紙（株）のスーパークロン（登録商標）８１４ＨＳ等が挙げられる
ポリケトンの市販品としては、エボニック社のＴＥＧＯ（登録商標）  ＶＡＲＩＰＬＵＳ  ＡＰ、ＣＡ、ＳＫ、等が挙げられる
【００８８】
樹脂の重量平均分子量（Ｍｗ）としては、３０００〜２０００００が好ましく、５０００〜２０００００がより好ましく、１００００〜１５００００であることが更に好ましく、１００００〜１０００００であることが更に好ましく、１００００〜５００００であることが特に好ましい。
【００８９】
本開示において、重量平均分子量（Ｍｗ）は、ゲルパーミエーションクロマトグラフィー（ＧＰＣ）によって測定された値を指す。
ゲルパーミエーションクロマトグラフィー（ＧＰＣ）による測定は、測定装置として、ＨＬＣ（登録商標）−８０２０ＧＰＣ（東ソー（株））を用い、カラムとして、ＴＳＫｇｅｌ（登録商標）Ｓｕｐｅｒ  Ｍｕｌｔｉｐｏｒｅ  ＨＺ−Ｈ（４．６ｍｍＩＤ×１５ｃｍ、東ソー（株））を３本用い、溶離液として、ＴＨＦ（テトラヒドロフラン）を用いる。また、測定条件としては、試料濃度を０．４５質量％、流速を０．３５ｍｌ／ｍｉｎ、サンプル注入量を１０μＬ、及び測定温度を４０℃とし、ＲＩ検出器を用いて行う。
検量線は、東ソー（株）の「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、及び「ｎ−プロピルベンゼン」の８サンプルから作製する。
【００９０】
また、インクが樹脂を含む場合、樹脂の含有量は、インクの全量に対して１質量％〜１０質量％であることが好ましく、１．５質量％〜１０質量％であることがより好ましく、２質量％〜６質量％であることが特に好ましい。
【００９１】
＜水＞
本開示のインクは、少量の水を含有していてもよい。
具体的には、本開示のインクの全量に対する水の含有量は、好ましくは３質量％以下であり、より好ましくは２質量％以下であり、特に好ましくは１質量％以下である。
本開示のインクは、実質的に水を含有しない、非水性のインクであることが好ましい。
【００９２】
＜着色剤＞
本開示のインクは、着色剤を少なくとも１種含有してもよい。
着色剤としては、特に制限はなく、顔料、水溶性染料、分散染料等の公知の色材から任意に選択して使用することができる。この中でも、耐候性に優れ、色再現性に富む点から、顔料がより好ましい。
【００９３】
顔料としては、特に制限はなく、目的に応じて適宜選択することができ、例えば、公知の有機顔料及び無機顔料などが挙げられ、また、染料で染色した樹脂粒子、市販の顔料分散体や表面処理された顔料〔例えば、顔料を分散媒（例えば、ラジカル重合性モノマー、有機溶剤等）に分散させたもの、及び、樹脂や顔料誘導体等で顔料表面を処理したもの等〕も挙げられる。
有機顔料及び無機顔料としては、例えば、黄色顔料、赤色顔料、マゼンタ顔料、青色顔料、シアン顔料、緑色顔料、橙色顔料、紫色顔料、褐色顔料、黒色顔料、白色顔料等が挙げられる。
本開示のインクが、着色剤として顔料を用いる場合、必要に応じて顔料分散剤を含有してもよい。
【００９４】
顔料等の着色剤及び顔料分散剤については、特開２０１１−２２５８４８号公報の段落０１５２〜０１５８、特開２００９−２０９３５２号公報の段落０１３２〜０１４９、等の公知文献を適宜参照することができる。
【００９５】
本開示のインクが着色剤を含有する場合、着色剤の含有量は、インクの全量に対し、好ましくは０．１質量％〜２０質量％であり、より好ましくは０．５質量％〜１０質量％である。
【００９６】
一方、本開示のインクは、着色剤を実質的に含まないインク（いわゆるクリアインク）であってもよい。
ここで、着色剤を実質的に含まないとは、着色剤の含有量が、インク全量に対し、０．１質量％未満であることを意味する。
【００９７】
＜その他の成分＞
本開示のインクは、上記以外のその他の成分を含有していてもよい。
その他の成分としては、紫外線吸収剤、共増感剤、酸化防止剤、褪色防止剤、導電性塩等が挙げられる。
その他の成分については、特開２０１１−２２５８４８号公報、特開２００９−２０９３５２号公報等の公知文献を適宜参照することができる。
【００９８】
＜インクの好ましい物性＞
本開示のインクの粘度には特に制限はない。
本開示のインクは、２５℃における粘度が１０ｍＰａ・ｓ〜５０ｍＰａ・ｓであることが好ましく、１０ｍＰａ・ｓ〜３０ｍＰａ・ｓであることがより好ましく、１０ｍＰａ・ｓ〜２５ｍＰａ・ｓであることが更に好ましい。インクの粘度は、例えば、含有される各成分の組成比を調整することによって調整できる。
ここでいう粘度は、粘度計：ＶＩＳＣＯＭＥＴＥＲ  ＲＥ−８５Ｌ（東機産業（株）製）を用いて測定された値である。
インクの粘度が上記好ましい範囲であると、吐出性をより向上させることができる。
【００９９】
本開示のインクの表面張力には特に制限はない。
本開示のインクは、３０℃における表面張力が、２０ｍＮ／ｍ〜３０ｍＮ／ｍであることが好ましく、さらに好ましくは２３ｍＮ／ｍ〜２８ｍＮ／ｍである。ポリオレフィン、ＰＥＴ、コート紙、非コート紙等の様々な基材に画像を記録する場合、濡れ性の点では３０ｍＮ／ｍ以下が好ましく、滲み抑制及び浸透性の点では２０ｍＮ／ｍ以上が好ましい。
ここでいう表面張力は、表面張力計  ＤＹ−７００（協和界面化学（株）製）を用いて測定された値である。
【０１００】
〔画像記録方法〕
本開示の画像記録方法は、基材上に、本開示のインクをインクジェット法によって付与する工程（以下、「付与工程」ともいう）と、基材上に付与されたインクに、活性エネルギー線（即ち、本開示における「光」）を照射する工程（以下、「照射工程」ともいう）と、を有する。
【０１０１】
−基材−
基材としては、特に限定されず、例えば、支持体又は記録材料として公知の基材を使用することができる。
基材としては、例えば、紙、プラスチック（例えば、ポリエチレン、ポリプロピレン、ポリスチレン等）がラミネートされた紙、金属板（例えば、アルミニウム、亜鉛、銅等の金属の板）、プラスチックフィルム（例えば、ポリ塩化ビニル（ＰＶＣ：Polyvinyl Chloride）樹脂、二酢酸セルロース、三酢酸セルロース、プロピオン酸セルロース、酪酸セルロース、酢酸酪酸セルロース、硝酸セルロース、ポリエチレンテレフタレート（ＰＥＴ：Polyethylene Terephthalate）、ポリエチレン（ＰＥ：Polyethylene）、ポリスチレン（ＰＳ：Polystyrene）、ポリプロピレン（ＰＰ：Polypropylene）、ポリカーボネート（ＰＣ：Polycarbonate）、ポリビニルアセタール、アクリル樹脂等のフィルム）、上述した金属がラミネートされ又は蒸着された紙、上述した金属がラミネートされ又は蒸着されたプラスチックフィルムなどが挙げられる。
【０１０２】
本開示のインクは、基材に対する密着性に優れた画像を記録できるため、非吸収性の基材に対して画像を記録する用途に、特に好適である。
ここで、非吸収性とは、水の吸収量が０．３ｇ／ｍ２以下であることを意味する。
基材の水の吸収量（ｇ／ｍ２）は、以下のようにして測定する。
基材のオモテ面（即ち、画像を形成しようとする面）における１００ｍｍ×１００ｍｍの領域に水を接触させ、この状態で２５℃にて１分間保持する。この１分間の保持によって吸収された水の質量（吸収量（ｇ））を求め、得られた吸収量（ｇ）を単位面積当たりの吸収量（ｇ／ｍ２）に換算する。
【０１０３】
非吸収性の基材としては、ポリ塩化ビニル（ＰＶＣ）基材、ポリスチレン（ＰＳ）基材、ポリカーボネート（ＰＣ）基材、ポリエチレンテレフタレート（ＰＥＴ）基材、ポリプロピレン（ＰＰ）基材、アクリル樹脂基材等のプラスチック基材が好ましい。
【０１０４】
（付与工程）
付与工程は、基材上に、本開示のインクをインクジェット法によって付与する工程である。
インクジェット法によるインクの付与は、公知のインクジェット記録装置を用いて行うことができる。
インクジェット記録装置としては特に制限はなく、目的とする解像度を達成し得る公知のインクジェット記録装置を任意に選択して使用することができる。すなわち、市販品を含む公知のインクジェット記録装置を用いることができる。
【０１０５】
インクジェット記録装置としては、例えば、インク供給系、温度センサー、加熱手段を含む装置が挙げられる。
インク供給系は、例えば、インクを含む元タンク、供給配管、インクジェットヘッド直前のインク供給タンク、フィルター、ピエゾ型のインクジェットヘッドからなる。ピエゾ型のインクジェットヘッドは、好ましくは１ｐＬ〜１００ｐＬ、より好ましくは８ｐＬ〜３０ｐＬのマルチサイズドットを、好ましくは３２０ｄｐｉ（ｄｏｔ  ｐｅｒ  ｉｎｃｈ）×３２０ｄｐｉ〜４０００ｄｐｉ×４０００ｄｐｉ（ｄｏｔ  ｐｅｒ  ｉｎｃｈ）、より好ましくは４００ｄｐｉ×４００ｄｐｉ〜１６００ｄｐｉ×１６００ｄｐｉ、さらに好ましくは７２０ｄｐｉ×７２０ｄｐｉ〜１６００ｄｐｉ×１６００ｄｐｉの解像度で吐出できるよう駆動することができる。
なお、ｄｐｉとは、２．５４ｃｍ（１ｉｎｃｈ）当たりのドット数を表す。
【０１０６】
（照射工程）
照射工程は、基材上に付与されたインクに、活性エネルギー線を照射する工程である。
基材上に付与されたインクに活性エネルギー線を照射することにより、インク中のラジカル重合性モノマーの重合反応が進行する。その結果、画像を定着させ、画像の硬度等を向上させることできる。
【０１０７】
照射工程で用いることができる活性エネルギー線としては、紫外線（ＵＶ光）、可視光線、電子線等を挙げられ、これらの中でも、ＵＶ光が好ましい。
【０１０８】
活性エネルギー線のピーク波長は、２００ｎｍ〜４０５ｎｍであることが好ましく、２２０ｎｍ〜３９０ｎｍであることがより好ましく、２２０ｎｍ〜３８５ｎｍであることが更に好ましい。
また、２００ｎｍ〜３１０ｎｍであることも好ましく、２００ｎｍ〜２８０ｎｍであることも好ましい。
【０１０９】
活性エネルギー線が照射される際の露光エネルギーは、例えば１０ｍＪ／ｃｍ２〜２０００ｍＪ／ｃｍ２、好ましくは２０ｍＪ／ｃｍ２〜１０００ｍＪ／ｃｍ２である。
【０１１０】
活性エネルギー線を発生させるための源としては、水銀ランプ、メタルハライドランプ、ＵＶ蛍光灯、ガスレーザー、固体レーザー等が広く知られている。
また、上記で例示された光源の、半導体紫外発光デバイスへの置き換えは、産業的にも環境的にも非常に有用である。
半導体紫外発光デバイスの中でも、ＬＥＤ（Ｌｉｇｈｔ  Ｅｍｉｔｔｉｎｇ  Ｄｉｏｄｅ）及びＬＤ（Ｌａｓｅｒ  Ｄｉｏｄｅ）は、小型、高寿命、高効率、及び低コストであり、光源として期待されている。
光源としては、メタルハライドランプ、超高圧水銀ランプ、高圧水銀ランプ、中圧水銀ランプ、低圧水銀ランプ、ＬＥＤ、又は青紫レーザーが好ましい。
これらの中でも、増感剤と光重合開始剤とを併用する場合は、波長３６５ｎｍ、４０５ｎｍ、若しくは４３６ｎｍの光照射が可能な超高圧水銀ランプ、波長３６５ｎｍ、４０５ｎｍ、若しくは４３６ｎｍの光照射が可能な高圧水銀ランプ、又は、波長３５５ｎｍ、３６５ｎｍ、３８５ｎｍ、３９５ｎｍ、若しくは４０５ｎｍの光照射が可能なＬＥＤがより好ましく、波長３５５ｎｍ、３６５ｎｍ、３８５ｎｍ、３９５ｎｍ、若しくは４０５ｎｍの光照射が可能なＬＥＤが最も好ましい。
【０１１１】
照射工程おいて、基材上に付与されたインクに対する活性エネルギー線の照射時間は、例えば０．０１秒間〜１２０秒間であり、好ましくは０．１秒間〜９０秒間である。
照射条件並びに基本的な照射方法は、特開昭６０−１３２７６７号公報に開示されている照射条件及び照射方法を同様に適用することができる。
活性エネルギー線の照射方式として、具体的には、インクの吐出装置を含むヘッドユニットの両側に光源を設け、いわゆるシャトル方式でヘッドユニット及び光源を走査する方式、又は、駆動を伴わない別光源によって活性エネルギー線の照射を行う方式が好ましい。
活性エネルギー線の照射は、インクを着弾して加熱乾燥を行った後、一定時間（例えば０．０１秒間〜１２０秒間、好ましくは０．０１秒間〜６０秒間）をおいて行うことが好ましい。
【０１１２】
（加熱乾燥工程）
画像記録方法は、必要により付与工程後であって照射工程前に、更に加熱乾燥工程を含み、ていてもよい。
加熱手段は特に限定されないが、ヒートドラム、温風、赤外線ランプ、熱オーブン、ヒート版加熱などが挙げられる。
加熱温度は、４０℃以上が好ましく、４０℃〜１５０℃程度がより好ましく、４０℃〜８０℃程度が更に好ましい。
なお、加熱時間は、インクの組成及び印刷速度を加味して適宜設定することができる。
【０１１３】
＜画像記録物＞
本開示の画像記録物は、基材と、基材上に配置された、上記本開示のインクの硬化物である画像と、を備える。
本開示の画像記録物は、硬化性及び吐出性に優れた本開示のインクを用いて製造できる。
また、製造された画像記録物における画像は、高温環境下（例えば、４０℃の環境下）での表面のべたつきが抑制されている。
【０１１４】
本開示の画像記録物において、本開示のインクの硬化物である画像は、好ましくは、モノマーＡに由来する構造単位とモノマーＢに由来する構造単位とモノマーＣに由来する構造単位とを含む共重合体を含有し、モノマーＡに由来する構造単位、モノマーＢに由来する構造単位、及びモノマーＣに由来する構造単位の総含有量が、上記共重合体の全量に対し、６０質量％以上である。
ここで、モノマーＡに由来する構造単位、モノマーＢに由来する構造単位、及びモノマーＣに由来する構造単位とは、それぞれ、モノマーＡのラジカル重合によって得られる構造単位、モノマーＢのラジカル重合によって得られる構造単位、及びモノマーＣのラジカル重合によって得られる構造単位を意味する。
上記共重合体におけるこれらの構造単位の含有比率の好ましい範囲については、前述したインクの項を適宜参照できる。
上記共重合体は、上述した構造単位以外のその他の構造単位を含有していてもよい。
また、上記画像は、上記共重合体以外のその他の成分を含有してもよい。
上記その他の構造単位及び上記その他の成分については、前述したインクの項を適宜参照できる。
【実施例】
【０１１５】
以下、本開示の実施例を示すが、本開示は以下の実施例には限定されない。【０１１６】
〔実施例１〕
＜シアン顔料分散物の調製＞
下記組成中の各素材を混合し、ミキサー（シルバーソン社製Ｌ４Ｒ）を用いて２，５００回転／分にて１０分撹拌して混合物を得た。その後、得られた混合物を、ビーズミル分散機ＤＩＳＰＥＲＭＡＴ  ＬＳ（ＶＭＡ社製）に入れ、直径０．６５ｍｍのＹＴＺボール（（株）ニッカトー製）を用い、２，５００回転／分で６時間分散を行い、シアン顔料分散物（以下、Ｃ顔料分散物とする）を得た。【０１１７】
−Ｃ顔料分散物の組成−
・ＢＡＳＦ社製のＩＲＧＡＬＩＴＥ  ＢＬＵＥ  ＧＬＶＯ（シアン顔料）
…  ４０質量部
・日本ルーブリゾール社製のソルスパース３２０００（高分子分散剤）
…  １０質量部
・サートマー社製のＳＲ９００３（２官能モノマー、プロポキシ化（２）ネオペンチルグリコールジアクリレート）
…  ５９質量部
・アルベマール社製のＦｉｒｓｔｃｕｒｅ  ＳＴ−１（重合禁止剤；トリス（Ｎ−ニトロソ−Ｎ−フェニルヒドロキシルアミン）アルミニウム塩）
…  １質量部【０１１８】
＜インクの調製＞
下記組成の各成分を混合し、インクを調製した。【０１１９】
−インクの組成−
・上記Ｃ顔料分散物
…  ７質量部
・Ｎ−ビニルオキサゾリジノン（以下、「ＮＶＯ」ともいう）（モノマーＡ）
…  １２質量部
・イソボルニルアクリレート（以下、「ＩＢＯＡ」ともいう）（モノマーＢ）
…  ３８質量部
・環状トリメチロールプロパンホルマールアクリレート（以下、「ＣＴＦＡ」ともいう）（モノマーＣ）
…  ２８質量部
・アルベマール社製のＦｉｒｓｔｃｕｒｅ  ＳＴ−１（以下、「ＳＴ−１」ともいう）（重合禁止剤）
…  １．１質量部
・ＢＡＳＦ社製のＩＲＧＡＣＵＲＥ  １８４（以下、「ＩＲＧ１８４」ともいう）（光重合開始剤；カルボニル化合物（詳細には、１−ヒドロキシ−シクロヘキシル−フェニル−ケトン））
…  ２．４質量部
・ＢＡＳＦ社製のＩＲＧＡＣＵＲＥ  ８１９（以下、「ＩＲＧ８１９」ともいう）（光重合開始剤；アシルフォスフィンオキシド化合物（詳細には、ビス（２，４，６−トリメチルベンゾイル）−フェニルフォスフィンオキシド））
…  ８．２質量部
・Ｌａｍｂｓｏｎ社製のＳＰＥＥＤＣＵＲＥ  ＢＰ（以下、「ＢＰ」ともいう）（光重合開始剤；ベンゾフェノン）
…  ３．２質量部
・ビックケミー社製のＢＹＫ−３０７（以下、「ＢＹＫ３０７」ともいう）（シリコーン界面活性剤）
…  ０．１質量部【０１２０】
＜画像記録＞
インクジェットヘッド及び硬化光源を備えるインクジェット記録装置を準備した。
インクジェットヘッドとしては、ピエゾ型インクジェットヘッドＱ−ｃｌａｓｓ  Ｓａｐｐｈｉｒｅ  ＱＳ−２５６／１０（ＦＵＪＩＦＩＬＭ  ＤＩＭＡＴＩＸ社製、ノズル数２５６個、最小液滴量１０ｐＬ、５０ｋＨｚ）を用いた。
硬化光源としては、発光ダイオード（ＵＶ−ＬＥＤ、日亜化学工業（株）製ＮＣ４Ｕ１３４、ピーク波長３８５ｎｍ）を１０個配置した光源を左右に１つずつ（計２個）備える硬化光源を用いた。光源１つあたりの照度は、１，５００ｍＷ／ｃｍ２である。【０１２１】
上記インクジェット記録装置を用い、上記インクを上記インクジェットヘッドから吐出することにより、基材上にインクを付与した。インクジェットヘッドからのインクの吐出温度は、４５℃とした。
基材上に付与されたインクに対し、上記硬化光源からのＵＶ光を照射することにより、インクを硬化させた。照射するＵＶ光のエネルギー（露光エネルギー）は、４００ｍＪ／ｃｍ２とした。
以上により、基材上に、インクの硬化膜である画像を記録した。以下、画像が記録された基材を、画像記録物ともいう。【０１２２】
＜評価＞
以下の評価を実施した。
結果を表１に示す。【０１２３】
（硬化性）
上記画像記録に従い、ポリエチレンテレフタレート（ＰＥＴ）基材（きもと社製「ビューフルＵＶ ＴＰ−１８８」。以下同じ。）上に、インクの硬化膜としての、平均膜厚１０μｍのベタ画像（ｓｏｌｉｄ  ｉｍａｇｅ）を記録し、画像記録物を得た。
得られた画像記録物におけるベタ画像上に、このベタ画像の記録完了（即ち、ＵＶ光の照射完了）から１０分以内に、転写基材としての上記ＰＥＴ基材を載せ、１ｋｇ／Ａ６サイズの荷重を負荷した。この状態で、画像記録物及び転写基材を４０℃の環境で１日経時させた。
１日経時後、画像記録物におけるベタ画像から転写基材を剥がし、ベタ画像から転写基材側に転写した画像の面積を確認し、下記式により、転写面積を求めた。
転写面積（％）  ＝  （転写基材側に転写した画像の面積／転写基材とベタ画像との接触面積）×１００
得られた結果に基づき、下記評価基準により、硬化性を評価した。
下記評価基準において、硬化性に最も優れるランクは、「Ａ」である。【０１２４】
−硬化性の評価基準−
Ａ：転写面積が１％未満である。
Ｂ：転写面積が１％以上２５％未満である。
Ｃ：転写面積が２５％以上５０％未満である。
Ｄ：転写面積が５０％以上７５％未満である。
Ｅ：転写面積が７５％以上である。【０１２５】
（表面べたつき抑制性）
上記画像記録に従い、上記ＰＥＴ基材上に、平均膜厚１０μｍのベタ画像を記録し、画像記録物を得た。
得られた画像記録物を、４０℃の環境で１日経時させた。
１日経時後の画像記録物におけるベタ画像に対し、キムワイプで拭き取る操作を実施した。この際、拭き取り操作中において、画像の表面のべたつき感を確認し、拭き取り操作後において、画像の表面におけるキムワイプで拭き取った跡を確認し、下記評価基準に従い、表面べたつき抑制性を評価した。
下記評価基準において、画像の表面べたつきが最も抑制されているランク（即ち、表面べたつき抑制性に最も優れるランク）は、「Ａ」である。【０１２６】
−表面べたつき抑制性の評価基準−
Ａ：画像の表面のべたつきが感じられず、画像の表面に拭き取った跡が視認されない。
Ｂ：画像の表面のべたつきがわずかに感じられるが、画像の表面に拭き取った跡が視認されない。
Ｃ：画像の表面のべたつきがわずかに感じられ、かつ、画像の表面に拭き取った跡がわずかに視認される。
Ｄ：画像の表面のべたつきが感じられ、かつ、画像の表面に拭き取った跡がわずかに視認される。
Ｅ：画像の表面のべたつきが感じられ、かつ、画像の表面に拭き取った跡が視認される。【０１２７】
（吐出性）
上記インクジェット記録装置におけるインクジェットヘッドからの上記インクの吐出を開始し、次いで一旦吐出を休止させた。この状態で１０分経過後、再度インクの吐出を開始し、上記画像記録に従い、上記ＰＥＴ基材上に、平均膜厚１０μｍのベタ画像を記録し、画像記録物を得た。
画像記録物におけるベタ画像を観察し、ノズル抜けを確認した。確認した結果に基づき、下記評価基準により、吐出性を評価した。
下記評価基準において、吐出性に最も優れるランクは、「Ａ」である。【０１２８】
−吐出性の評価基準−
Ａ：ノズル抜けが確認されない。
Ｂ：１、２本のノズル抜けが確認できる。
Ｃ：３〜５本のノズル抜けが確認できる。
Ｄ：６〜９本のノズル抜けが確認できる。
Ｅ：１０本以上のノズル抜けが確認できる。【０１２９】
〔実施例２〜１９、比較例１〜５〕
インクの組成を、表１又は表２に示す組成に変更したこと以外は実施例１と同様の操作を行った。
結果を表１又は表２に示す。【０１３０】
実施例１３では、インク中に、樹脂として下記ポリマー１を含有させた。下記ポリマー１において、各構造単位の右下に示す添え字は、共重合質量比を示す【０１３１】
【化５】
2020179155.tif 000007
【０１３２】
ポリマー１は、以下のようにして合成した。
１−プロパノール（反応溶媒）１６１．２２ｇおよびＮ−ビニロカプロラクタム（原料モノマー）４２．５０ｇを、冷却管を備えた１０００ｍＬの三口フラスコに秤量し、窒素気流下、７５℃で加熱撹拌した。
これとは別に、１−プロパノール１０３．８５ｇ、ペンタメチルピペリジルメタクリレート（原料モノマー）１５２．５０ｇ、メチルメタクリレート（原料モノマー）４７．５１ｇ、ジシクロペンテニルオキシエチルメタクリレート（原料モノマー）７．５２ｇ、Ｖ−６０１（開始剤）１３．３３ｇ、及びドデシルメルカプタン７．０３ｇを混合して調製した混合溶液を、上記のフラスコに４時間かけて滴下した。滴下を終了し、７５℃で１時間加熱した後、９０℃で更に３時間撹拌し、反応させた。
得られた反応液を放冷し、放冷後の反応液を水２０４７．９３ｇおよびメタノール４７．９２ｇの混合溶液に氷浴下そそぎ、再沈殿精製後、真空乾燥した。
以上により、上記ポリマー１（重量平均分子量（Ｍｗ）１１０００）を約２４１ｇ得た。【０１３３】
【表１】
2020179155.tif 000008
【０１３４】
【表２】
2020179155.tif 000009
【０１３５】
−表１及び表２の説明−
・各成分における数値は、インク中における含有量（質量％）を意味する。
・表中の空欄は、該当する成分を含有しないことを意味する。
・モノマーＡは、式（Ａ）で表されるラジカル重合性モノマーである。
・モノマーＢは、脂環式構造を含み、かつ、ヘテロ環式構造を含まないラジカル重合性モノマーである。
・モノマーＣは、ヘテロ環式構造を含むラジカル重合性モノマーである。
・「Ａ＋Ｂ」は、モノマーＡ及びモノマーＢの総含有量（質量％）を意味する。
・「Ａ＋Ｂ＋Ｃ」は、モノマーＡ、モノマーＢ及びモノマーＣの総含有量（質量％）を意味する。
・「Ａ／全モノマー」は、インクに含有される全てのラジカル重合性モノマーの総含有量に対するモノマーＡの含有量（質量％）を意味する。ここで、全モノマーには、Ｃ顔料分散物中のモノマー（具体的には２官能モノマーである前述のＳＲ９００３）も含まれる。【０１３６】
−表１及び表２中の略称−
・ＮＶＯ：Ｎ−ビニルオキサゾリジノン
・ＮＶＭＯ：Ｎ−ビニル−５−メチルオキサゾリジノン
・ＩＢＯＡ：イソボルニルアクリレート
・ＣＨＡ：シクロヘキシルアクリレート
・ＣＴＦＡ：環状トリメチロールプロパンホルマールアクリレート
・ＡＣＭＯ：アクリロイルモルホリン
・ＭＥＤＯＬ１０：（２−メチル−２−エチル−１，３−ジオキソラン−４−イル）メチルアクリレート〔大阪有機化学工業社製〕
・ＬＡ：ラウリルアクリレート
・ＴＭＰＴＡ：トリメチロールプロパントリアクリレート
・ＳＴ−１：アルベマール社製のＦｉｒｓｔｃｕｒｅ  ＳＴ−１（重合禁止剤；トリス（Ｎ−ニトロソ−Ｎ−フェニルヒドロキシルアミン）アルミニウム塩）
・ＩＲＧ１８４：ＢＡＳＦ社製のＩＲＧＡＣＵＲＥ  １８４（１−ヒドロキシ−シクロヘキシル−フェニル−ケトン）
・ＩＲＧ８１９：ＢＡＳＦ社製のＩＲＧＡＣＵＲＥ  ８１９（ビス（２，４，６−トリメチルベンゾイル）−フェニルフォスフィンオキシド）
・ＢＰ：Ｌａｍｂｓｏｎ社製のＳＰＥＥＤＣＵＲＥ  ＢＰ（ベンゾフェノン）
・ＢＹＫ３０７：ビックケミー社製のＢＹＫ−３０７（シリコーン界面活性剤）【０１３７】
表１及び表２に示すように、式（Ａ）で表されるラジカル重合性モノマーであるモノマーＡと、脂環式構造を含み、かつ、ヘテロ環式構造を含まないラジカル重合性モノマーであるモノマーＢと、ヘテロ環式構造を含むラジカル重合性モノマーであるモノマーＣと、を含有し、モノマーＡ、モノマーＢ、及びモノマーＣの総含有量が、インクの全量に対し、６０質量％以上であるインクを用いた各実施例は、硬化性、表面べたつき抑制性、及び吐出性に優れていた。【０１３８】
各実施例に対し、インクがモノマーＡを含有しない比較例１では、硬化性が低下した。
インクがモノマーＢを含有しない比較例２では、硬化性及び表面べたつき抑制性が低下した。
インクがモノマーＣを含有しない比較例３では、吐出性が低下した。
インクにおける、モノマーＡ、モノマーＢ、及びモノマーＣの総含有量が、インクの全量に対し、６０質量％未満である比較例４及び５では、硬化性が低下した。【０１３９】
実施例１〜１９の結果から、モノマーＡの含有量が、インクの全量に対して１０質量％〜３０質量％である場合（実施例１、２、４、及び６〜１９）、硬化性がより向上することがわかる。【０１４０】
実施例４及び６の結果から、モノマーＢの含有量が、インクの全量に対して２０質量％以上である場合（実施例４）、表面べたつき抑制性がより向上することがわかる。
実施例７及び１８の結果から、モノマーＢの含有量が、インクの全量に対して４０質量％以下である場合（実施例１８）、吐出性がより向上することがわかる。【０１４１】
実施例８及び１８の結果から、モノマーＣの含有量が、インクの全量に対し、２０質量％以上である場合（実施例１８）、吐出性がより向上することがわかる。
実施例９及び１９の結果から、モノマーＣの含有量が、インクの全量に対し、４０質量％以下である場合（実施例１９）、表面べたつき抑制性がより向上ことがわかる。【０１４２】
実施例２と実施例１９等との結果から、モノマーＡの含有量が、インクに含有される全てのラジカル重合性モノマーの総含有量に対し、１５質量％〜４０質量％である場合（実施例１９等）には、硬化性がより向上することがわかる。【０１４３】
以上、本開示のインクの実施例として、着色剤としてシアン顔料を含有するインクの実施例を示した。
上述した各実施例のインクにおいて、着色剤を、シアン顔料以外の着色剤（例えば、マゼンタ顔料、イエロー顔料、ブラック顔料、ホワイト顔料、等）に変更した場合、又は、着色剤を実質的に含有させなかった場合においても、各実施例と同様の効果が得られることは言うまでもない。【０１４４】
２０１９年３月６日に出願された日本国特許出願２０１９−０４０３２４号の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書に参照により取り込まれる。
【国際調査報告】
2020179155.tif 000012
2020179155.tif 000013
2020179155.tif 000014
2020179155.tif 000015